【手続補正書】
【提出日】平成27年10月2日(2015.10.2)
【手続補正１】
【補正対象書類名】特許請求の範囲
【補正対象項目名】全文
【補正方法】変更
【補正の内容】
【特許請求の範囲】
【請求項１】
操作端末と、１以上の格納領域を有する情報蓄積装置とが接続されたシステムであって、
前記操作端末は、
前記情報蓄積装置から、前記情報蓄積装置の有する前記１以上の格納領域の情報を取得する取得手段と、
前記取得手段で取得された前記１以上の格納領域の情報に基づいて、１以上の格納領域を表示する表示手段と、
前記表示手段に表示された１以上の格納領域のうち一の格納領域の選択を受け付ける受付手段と、
前記システムに接続される複数の電子機器のうち前記受付手段で選択を受け付けた前記一の格納領域に電子データを入力させる電子機器を、前記操作端末における操作に応じて前記操作端末の外部から前記操作端末に入力される情報に基づいて特定する特定手段と、
前記特定手段で特定された電子機器に前記情報蓄積装置へ電子データの入力を実行させる第１の要求を前記情報蓄積装置に送信する第１の送信手段と、
を有し、前記情報蓄積装置は、
前記第１の送信手段で送信された第１の要求に基づいて、前記情報蓄積装置の有する前記一の格納領域へ電子データの入力を実行させる第２の要求を前記電子機器に送信する第２の送信手段と、
前記第２の送信手段で送信された第２の要求に応じて前記電子機器から送信される電子データを前記一の格納領域に蓄積させる蓄積手段と、
を有することを特徴とするシステム。
【請求項２】
前記操作端末の外部から前記操作端末に入力される情報は、前記電子機器を識別する識別情報を少なくとも含み、
前記操作端末の前記特定手段は、前記情報蓄積装置の前記一の格納領域に電子データを入力させる前記電子機器を、前記操作端末に入力される前記情報に含まれる前記識別情報に基づいて特定する
ことを特徴とする請求項１に記載のシステム。
【請求項３】
前記第１の要求は、前記電子機器が電子データを生成するための設定を含み、
前記第２の要求は、前記操作端末から送信される前記第１の要求に含まれる前記設定を含み、
前記蓄積手段は、前記電子機器が前記第２の要求に含まれる設定に基づいて生成した電子データを前記情報蓄積装置に蓄積する
ことを特徴とする請求項１又は２に記載のシステム。
【請求項４】
前記操作端末の外部から取得する情報は、前記電子機器が表示する画像または前記電子機器に貼り付けられた画像を前記操作端末が撮影することにより前記操作端末が取得する画像情報であることを特徴とする請求項１乃至３何れか一項に記載のシステム。
【請求項５】
前記情報蓄積装置は電子データを記憶する蓄積部を有し、
前記蓄積手段は、前記電子データを前記蓄積部に蓄積させることを特徴とする請求項１乃至４何れか一項に記載のシステム。
【請求項６】
前記第１の要求は、前記電子機器から送信される電子データを蓄積する蓄積場所を指定する指定情報を含み、
前記第２の要求は、前記操作端末から送信される前記第１の要求に含まれる前記指定情報を含み、
前記蓄積手段は、前記電子機器から前記第２の要求に応じて送信される電子データを前記指定情報によって指定される蓄積場所に蓄積する
ことを特徴とする請求項５に記載のシステム。
【請求項７】
操作端末と、１以上の格納領域を有する情報蓄積装置とが接続されたシステムが実行する方法であって、
前記操作端末が、前記情報蓄積装置から、前記情報蓄積装置の有する前記１以上の格納領域の情報を取得するステップと、
前記操作端末が、取得された前記１以上の格納領域の情報に基づいて、１以上の格納領域を表示するステップと、
前記操作端末が、表示された前記１以上の格納領域のうち一の格納領域の選択を受け付けるステップと、
前記操作端末が、前記システムに接続される複数の電子機器のうち、選択を受け付けた前記一の格納領域に電子データを入力させる電子機器を、前記操作端末における操作に応じて前記操作端末の外部から前記操作端末に入力される情報に基づいて特定するステップと、
前記操作端末が、特定された前記電子機器に前記情報蓄積装置へ電子データの入力を実行させる第１の要求を前記情報蓄積装置に送信するステップと、
前記情報蓄積装置が、前記操作端末から送信された前記第１の要求に基づいて、前記情報蓄積装置の有する前記一の格納領域へ電子データの入力を実行させる第２の要求を前記電子機器に送信するステップと、
送信された前記第２の要求に応じて前記電子機器から送信される電子データを前記一の格納領域に蓄積させるステップと、
を有することを特徴とする方法。
【請求項８】
前記操作端末の外部から前記操作端末に入力される情報は、前記電子機器を識別する識別情報を少なくとも含み、
前記操作端末は、前記システムに接続される複数の電子機器のうち前記情報蓄積装置の一の格納領域に電子データを入力させる電子機器を、前記操作端末に入力される前記情報に含まれる識別情報に基づいて特定する
ことを特徴とする請求項７に記載の方法。
【請求項９】
前記第１の要求は、該電子機器が電子データを生成するための設定が含まれ、
前記情報蓄積装置は、前記第２の要求を前記電子機器に送信するとともに、前記操作端末から送信された設定を前記電子機器に送信し、
前記情報蓄積装置は、前記第２の要求に応じて前記電子機器から送信され、前記設定に基づいて前記電子機器によって生成された電子データを前記情報蓄積装置に蓄積する
ことを特徴とする請求項７又は８に記載の方法。
【請求項１０】
前記操作端末の外部から取得する情報は、前記電子機器が表示する画像または前記電子機器に貼り付けられた画像を前記操作端末が撮影することにより前記操作端末が取得する画像情報であることを特徴とする請求項７乃至９何れか一項に記載の方法。
【請求項１１】
前記情報蓄積装置は電子データを記憶する蓄積部を有し、
前記情報蓄積装置は、前記電子データを前記蓄積部に蓄積させることを特徴とする請求項７乃至１０何れか一項に記載の方法。
【請求項１２】
前記第１の要求は、前記電子機器から送信される電子データを蓄積する蓄積場所を指定する指定情報を含み、
前記情報蓄積装置は、前記電子機器から前記第２の要求に応じて送信される電子データを前記指定情報によって指定される蓄積場所に蓄積する
ことを特徴とする請求項１１に記載の方法。
【手続補正２】
【補正対象書類名】明細書
【補正対象項目名】発明の名称
【補正方法】変更
【補正の内容】
【発明の名称】システム及び方法
【手続補正３】
【補正対象書類名】明細書
【補正対象項目名】０００１
【補正方法】変更
【補正の内容】
【０００１】
本発明は、システム及び方法に関する。
【手続補正４】
【補正対象書類名】明細書
【補正対象項目名】０００５
【補正方法】変更
【補正の内容】
【０００５】
本発明の一実施形態は、上記の点に鑑みなされたもので、連携してサービスを提供することができるシステム及び方法を提供することを目的とする。
【手続補正５】
【補正対象書類名】明細書
【補正対象項目名】０００６
【補正方法】変更
【補正の内容】
【０００６】
上記目的を達成するため、本願請求項１は、操作端末と、１以上の格納領域を有する情報蓄積装置とが接続されたシステムであって、前記操作端末は、前記情報蓄積装置から、前記情報蓄積装置の有する前記１以上の格納領域の情報を取得する取得手段と、前記取得手段で取得された前記１以上の格納領域の情報に基づいて、１以上の格納領域を表示する表示手段と、前記表示手段に表示された１以上の格納領域のうち一の格納領域の選択を受け付ける受付手段と、前記システムに接続される複数の電子機器のうち前記受付手段で選択を受け付けた前記一の格納領域に電子データを入力させる電子機器を、前記操作端末における操作に応じて前記操作端末の外部から前記操作端末に入力される情報に基づいて特定する特定手段と、前記特定手段で特定された電子機器に前記情報蓄積装置へ電子データの入力を実行させる第１の要求を前記情報蓄積装置に送信する第１の送信手段と、を有し、前記情報蓄積装置は、前記第１の送信手段で送信された第１の要求に基づいて、前記情報蓄積装置の有する前記一の格納領域へ電子データの入力を実行させる第２の要求を前記電子機器に送信する第２の送信手段と、前記第２の送信手段で送信された第２の要求に応じて前記電子機器から送信される電子データを前記一の格納領域に蓄積させる蓄積手段と、を有することを特徴とする。
【手続補正６】
【補正対象書類名】明細書
【補正対象項目名】０００７
【補正方法】変更
【補正の内容】
【０００７】
本発明の一実施形態によれば、連携してサービスを提供することができるシステム及び方法を提供可能である。